(57)【要約】【課題】貯蔵室の冷却効率を維持できると同時に、食品品質の低下を抑制する冷蔵庫を提供する。【解決手段】外部と断熱した複数の貯蔵室を有する断熱箱体１０と、貯蔵室を開閉する扉と、蒸発器７を有する冷凍サイクルと、蒸発器７で熱交換した空気を貯蔵室に循環させる送風機９と、を備えた冷蔵庫において、蒸発器７の除霜運転が開始又は終了してから、扉を開けた積算時間又は回数に応じて送風機９の回転数を増やし、回転数の増加量を複数の貯蔵室のそれぞれに応じて変える。【選択図】  図３
2013245844.tif 000002
【特許請求の範囲】
【請求項１】
外部と断熱した複数の貯蔵室を有する断熱箱体と、
前記貯蔵室を開閉する扉と、
蒸発器を有する冷凍サイクルと、
前記蒸発器で熱交換した空気を前記貯蔵室に循環させる送風機と、を備えた冷蔵庫において、
前記蒸発器の除霜運転が開始又は終了してから、前記扉を開けた積算時間又は回数に応じて前記送風機の回転数を増やし、該回転数の増加量を前記複数の貯蔵室のそれぞれに応じて変えることを特徴とする冷蔵庫。
【請求項２】
前記断熱箱体の外部温度を測定する手段を備え、
前記外部温度が高いほど前記送風機の前記回転数の増加量を増やすことを特徴とする、請求項１に記載の冷蔵庫。
【請求項３】
前記断熱箱体の外部湿度を測定する手段を備え、
前記外部湿度が高いほど前記送風機の前記回転数の増加量を増やすことを特徴とする、請求項１に記載の冷蔵庫。
【請求項４】
前記複数の貯蔵室のそれぞれへの送風量の分配を調整する手段を備え、
前記貯蔵室の扉を開けた積算時間又は回数に応じて、前記送風量の分配を前記送風機から距離が遠い貯蔵室側に増やす、又は前記送風機の回転数を増やさずに前記送風量の分配を調整することを特徴とする、請求項１に記載の冷蔵庫。
【請求項５】
前記送風機より上部にある前記貯蔵室への送風が行われている場合、それ以外の前記貯蔵室への送風が行われている場合と比べて前記送風機の回転数の増加量を増やすことを特徴とする、請求項１に記載の冷蔵庫。
【発明の詳細な説明】
【技術分野】
【０００１】
本発明は、冷蔵庫に関する。
【背景技術】
【０００２】
一般的に強制対流式冷蔵庫は、冷蔵庫外から侵入する水分や食品から蒸発する水分が蒸発器に着霜していく。着霜量が増えると、霜が送風抵抗となり圧力損失を生じ、冷蔵庫内全体の冷気循環量が減る。その場合、冷却効率低下による消費電力量低減や冷蔵庫内の温度上昇による食品の品質低下を起こす。
【０００３】
さらに、蒸発器への着霜は風の流路を変化させ、各貯蔵室へ送風される冷気量の比率を変える可能性がある。冷蔵庫内全体の冷気循環量が変わらなくても上記の現象が起きた場合、冷気量の比率が低下した貯蔵室は冷えにくくなる。
【０００４】
以上の現象を防ぐために、通常は定期的にヒータなどで蒸発器を加熱し、霜を溶かして除去する。しかし、ヒータで頻繁に加熱すると消費電力量が増加するだけでなく、冷蔵庫内の温度も上昇するため食品の品質を低下させる。
【０００５】
特許文献１に記載の冷蔵庫には、庫内の空気を冷却する蒸発器と、蒸発器に送風する送風機と、冷蔵庫のドアの開閉に伴って庫内に侵入する水分量を推定する水分量推定手段を備えている。そして、水分量推定手段によって推定される水分量が所定量増加する毎に送風機の回転数を段階的に増加させる冷蔵庫が開示されている。
【０００６】
特許文献２には、送風機の初期風量（冷媒蒸発器の無着霜時の風量）を冷凍装置の実効冷凍能力が最大となる風量に設定し、その後、保冷庫のドア開閉回数が予め設定された所定回数に到達する毎に送風機の送風レベル（モータ回転数）を１段階ずつアップし、送風機の送風レベルが予め設定されている最大風量レベルに到達した場合は、その送風レベル（最大風量レベル）を所定時間維持した後、除霜運転を実行することが記載されている。
【先行技術文献】
【特許文献】
【０００７】
【特許文献１】特開２００３−１０６７３３号公報
【特許文献２】特開２０００−０５５５３２号公報
【発明の概要】
【発明が解決しようとする課題】
【０００８】
しかしながら、特許文献１及び２に記載の冷蔵庫では、貯蔵室の配置を考慮した送風機の回転数調整が行われていない。霜による圧力損失の影響は、庫内で送風機から遠い場所や空気循環経路が入り組んでいる場所等、風路抵抗が大きい場所から表れやすい。これは、風を送る際に風路からも抵抗を受けるためであり、送風機から近い場所に比べて風速の低下率が大きいことに起因する。その場合、送風機から遠い場所ほど冷えにくいという現象が起きる。逆に、送風機に近い貯蔵室を冷やす場合は回転数を増やさなくても冷気循環量の低下は起きにくい。特許文献１のように、送風機の回転数を必要以上に増加させると送風機の消費電力量が増加し、省エネルギー性能を悪化させる可能性がある。
【０００９】
本発明は上記課題に鑑み、着霜量及び複数の貯蔵室のいずれであるかに応じて、送風機の回転数及び各貯蔵室への風量比率を制御することで、着霜量が増えても貯蔵室の冷却効率を維持できると共に、消費電力量を抑える冷蔵庫を提供することを目的とする。
【課題を解決するための手段】
【００１０】
本発明では、上述の課題を解決するため、例えば特許請求の範囲に記載の手段を採用する。一例として、外部と断熱した複数の貯蔵室を有する断熱箱体と、前記貯蔵室を開閉する扉と、蒸発器を有する冷凍サイクルと、前記蒸発器で熱交換した空気を前記貯蔵室に循環させる送風機と、を備えた冷蔵庫において、前記蒸発器の除霜運転が開始又は終了してから、前記扉を開けた積算時間又は回数に応じて前記送風機の回転数を増やし、該回転数の増加量を前記複数の貯蔵室のそれぞれに応じて変えることを特徴とする。
【発明の効果】
【００１１】
本発明によれば、着霜量及び複数の貯蔵室のいずれであるかに応じて、送風機の回転数及び各貯蔵室への風量比率を制御することで、着霜量が増えても貯蔵室の冷却効率を維持できると共に、消費電力量を抑える冷蔵庫を提供することができる。
【図面の簡単な説明】
【００１２】
【図１】本発明に関わる第一の実施形態の冷蔵庫を示す正面図。
【図２】第一の実施形態の冷蔵庫の庫内の構成を表す図１のＸ−Ｘ線断面図。
【図３】第一の実施形態の冷蔵庫送風機の制御フローチャート。
【図４】第一の実施形態の冷蔵庫送風機の制御フローチャート。
【図５】第一の実施形態の冷蔵庫送風機の制御フローチャート。
【図６】第一の実施形態の冷蔵庫送風機の制御タイムチャート。
【発明を実施するための形態】
【００１３】
以下、本発明の実施形態について図面を参照して説明する。
【００１４】
図１は、本発明に関わる第一の実施形態の冷蔵庫を示す正面図であり、図２は、冷蔵庫の庫内の構成を表す図１のＸ−Ｘ線断面図である。
【００１５】
第一の実施形態の冷蔵庫は、その本体部を成す冷蔵庫本体１に、上方から、冷蔵室２、製氷室３及び上段冷凍室４、下段冷凍室５、および野菜室６を備えている。なお、製氷室３と上段冷凍室４は、冷蔵室２と下段冷凍室５との間に左右に並設している。
【００１６】
冷蔵室２及び野菜室６は、約３〜５℃の冷蔵温度帯の貯蔵室である。一方、製氷室３、上段冷凍室４及び下段冷凍室５は、約−１８℃の冷凍温度帯の貯蔵室である。
【００１７】
冷蔵室２は、前方側に左右に分割された観音開き（いわゆるフレンチ型）の冷蔵室扉２ａ，２ｂを備えている。
【００１８】
製氷室３、上段冷凍室４、下段冷凍室５、および野菜室６は、それぞれ引き出し式の製氷室扉３ａ、上段冷凍室扉４ａ、下段冷凍室扉５ａ、および野菜室扉６ａを備えている。
【００１９】
また、各扉（２ａ，２ｂ，３ａ，４ａ，５ａ，６ａ）における貯蔵室（２，３，４，５，６）側の面には、各扉の外縁に沿った態様でシール部材（図示せず）を設けており、各扉の閉鎖時、貯蔵室内への温かい外気の侵入、及び貯蔵室からの冷気漏れを抑制する。
【００２０】
冷蔵庫本体１は、各貯蔵室（２，３，４，５，６）に設けた扉（２ａ，２ｂ，３ａ，４ａ，５ａ，６ａ）の開閉状態をそれぞれ検知する扉センサ（図示せず）と、各扉が開放していると判定された状態が所定時間、例えば１分間以上継続された場合、ユーザ（使用者）に報知するアラーム（図示せず）とを備えている。
【００２１】
また、冷蔵庫本体１は、ユーザが、冷蔵室２の温度設定や、上段冷凍室４、下段冷凍室５の温度設定をするための温度設定器等（図示せず）を備えている。
【００２２】
図２に示すように、冷蔵庫本体１の庫内と庫外とは、冷蔵庫の外郭を形成する外箱１ａと貯蔵室（２〜６）を形成する内箱１ｂとの間に発泡断熱材（例えば、発泡ポリウレタン）を充填して形成される断熱箱体１０により隔てられている。断熱箱体１０は、充填される発泡断熱材の他に、複数の断熱性が高い真空断熱材２５を実装している。
【００２３】
冷蔵庫本体１は、冷蔵温度帯の冷蔵室２と、冷凍温度帯の上段冷凍室４及び製氷室３（図１参照）とが、上側断熱仕切壁５１により断熱的に画設されている。
【００２４】
また、下側断熱仕切壁５２により、冷凍温度帯の下段冷凍室５と冷蔵温度帯の野菜室６とが断熱的に画設されている。
【００２５】
図１の破線で示すように、下段冷凍室５の上部には、下段冷凍室５と製氷室３及び上段冷凍室４とを、上下方向に仕切る横仕切部５３（図２参照）を設けている。
【００２６】
図１に示すように、横仕切部５３の上部には、製氷室３と上段冷凍室４との間を左右方向に仕切る縦仕切部５４を設けている。なお、図２では、縦仕切部５４は省略して示している。
【００２７】
横仕切部５３は、図２に示すように、下側断熱仕切壁５２の前面（図２の左側）及び冷蔵庫本体１の左右側壁の前面とともに、下段冷凍室扉５ａの下段冷凍室５側の面に設けたシール部材（図示せず）を受けて、下段冷凍室５と下段冷凍室扉５ａとの間での気体の移動（出入り）を抑制する。
【００２８】
また、製氷室扉３ａ及び上段冷凍室扉４ａの貯蔵室（製氷室３及び上段冷凍室４）側の面に設けたシール部材（図示せず）は、横仕切部５３、縦仕切部５４、上側断熱仕切壁５１及び冷蔵庫本体１の左右側壁の前面と接することで、製氷室３及び上段冷凍室４と製氷室扉３ａ及び上段冷凍室扉４ａとの間での気体の移動（出入り）をそれぞれ抑制する。
【００２９】
なお、製氷室３、上段冷凍室４及び下段冷凍室５は、何れも冷凍温度帯なので、図１の横仕切部５３及び縦仕切部５４は、各扉（製氷室扉３ａ及び上段冷凍室扉４ａ）のシール部材を受けるために、少なくとも冷蔵庫本体１の前側にあればよい（図２参照）。すなわち、冷凍温度帯の製氷室３及び上段冷凍室４、下段冷凍室５は、同じ冷凍温度帯であるため、各貯蔵室間で気体の移動（出入り）があってもよく、断熱区画しなくてもよい。
【００３０】
一方、上段冷凍室４を温度切り替え室とする場合は、上段冷凍室４が冷凍温度帯と冷蔵温度帯とに切り替わるため、製氷室３及び下段冷凍室５と断熱区画する必要がある。この場合、横仕切部５３及び縦仕切部５４は、冷蔵庫本体１の前側から後壁まで延在させる。
【００３１】
図１に示す冷蔵室扉２ａ，２ｂの冷蔵室２の内側には、図２に示すように、複数の扉ポケット３２が備えられている。また、冷蔵室２は複数の棚３６が設けられており、棚３６により、冷蔵室２は縦方向に複数の貯蔵スペースに区画されている。
【００３２】
製氷室３、上段冷凍室４、下段冷凍室５及び野菜室６は、収納容器３ｂ，４ｂ，５ｂ，６ｂがそれぞれ設けられており、それぞれの貯蔵室の前方に備えられた扉（３ａ，４ａ，５ａ，６ａ）と一体に前後方向に移動する（出し入れされる）。
【００３３】
すなわち、製氷室扉３ａ、上段冷凍室扉４ａ、下段冷凍室扉５ａ及び野菜室扉６ａは、それぞれ前面に設けた不図示の取手部にユーザが手を掛けて手前側に引き出すことにより、製氷室３、上段冷凍室４、下段冷凍室５及び野菜室６の各収納容器３ｂ，４ｂ，５ｂ，６ｂが、手前側（図２の紙面左側）に引き出す構成である。
【００３４】
冷蔵庫本体１は、庫内を冷却する冷却手段として、蒸発器７が下段冷凍室５の略背部（図２参照）に備えられた蒸発器収納室８内に設けられている。蒸発器７の一例として、フィンチューブ型熱交換器がある。
【００３５】
蒸発器収納室８内の蒸発器７の上方には、蒸発器７で冷却された空気（以下、蒸発器７で熱交換した低温の空気を「冷気」と称す）を庫内に循環させる送風手段として、送風機９が設けられている。送風機９の一例として、プロペラファンが挙げられる。
【００３６】
蒸発器７の下方には、蒸発器７に付着した霜を融解して除去する、除霜手段である除霜ヒータ２２を備えている。除霜ヒータ２２によって融解された除霜水は、除霜ヒータ２２下方の除霜水受け部２３に滴下し、ドレンパイプ２７から機械室１９の蒸発皿２１に排出されて、蒸発される。
【００３７】
図２に示すように、蒸発器７を流れる冷媒と熱交換して冷却された冷気は、送風機９によって、各貯蔵室（２，６，３，４，５）の後方側に配置される冷蔵室送風ダクト１１、野菜室送風ダクト（図示せず）、冷凍室送風ダクト１２を介して、それぞれ冷蔵室２、野菜室６、製氷室３、上段冷凍室４、下段冷凍室５の各貯蔵室へ送られる。
【００３８】
各貯蔵室（２，６，３，４，５）への送風は、冷蔵室２への送風量を制御する冷蔵室ダンパ８０と、野菜室６への送風量を制御する野菜室ダンパ（図示せず）（冷気調整手段）と、冷凍温度帯の製氷室３及び上段冷凍室４、下段冷凍室５への送風量を制御する冷凍室ダンパ８１とにより、送風路が開閉制御される。
【００３９】
冷蔵室ダンパ８０（図２参照）が開状態で冷蔵室２への送風が行われる場合、冷気は、冷蔵室２の後方の冷蔵室送風ダクト１１を経て多段に開口された冷蔵室送風吐出口２ｃ，２ｄ，２ｅから冷蔵室２に送られる。冷蔵室２を冷却した冷気は、冷蔵室２の下部に設けられた冷蔵室戻り口（図示せず）から蒸発器収納室８の側方に配設された冷蔵室戻りダクト（図示せず）を経て、蒸発器収納室８の下部に戻る（還る）。
【００４０】
不図示の野菜室ダンパが開状態で、冷蔵庫本体１の最下部の野菜室６への送風が行われる場合、冷気は、野菜室送風ダクトを通過して野菜室吹き出し口（図示せず）から野菜室６に送風される。野菜室６を冷却した冷気は、下側断熱仕切壁５２の下部前方に設けられた野菜室戻りダクト入口１８ｂから野菜室戻りダクト１８を通過して、野菜室戻りダクト出口１８ａから蒸発器収納室８の下部に戻る（還る）。
【００４１】
蒸発器収納室８の前方には、冷凍温度帯室の製氷室３、上段冷凍室４、下段冷凍室５と蒸発器収納室８との間を仕切る仕切部材１３が設けられている。仕切部材１３には、吹き出し口３ｃ，４ｃ，５ｃが形成されている。
【００４２】
冷凍室ダンパ８１が開状態の場合、冷気は、製氷室３の後方の不図示の製氷室送風ダクト、上段冷凍室４後方の上段冷凍室送風ダクト１６、下段冷凍室５後方の冷凍室送風ダクト１２を流れて、吹き出し口３ｃ，４ｃ，５ｃから、それぞれ製氷室３、上段冷凍室４、下段冷凍室５へ送風される。
【００４３】
冷蔵庫本体１は、冷凍室ダンパ８１を、上段冷凍室４の後方であって送風機９の上方に配設することで、送風機９からの送風を、スムーズに製氷室３や上段冷凍室４にその上部から送風できるように構成している。そして、製氷室３、上段冷凍室４及び下段冷凍室５を連通した構成とすることで、製氷室３や上段冷凍室４の上部から下段冷凍室５への冷気の下降流による冷却効果を高めることができる。
【００４４】
ここで、冷凍室ダンパ８１が開状態かつ冷蔵室ダンパ８０が開状態のとき、冷蔵室２と冷凍温度帯室の両方に送風される。このとき、冷凍室ダンパ８１は冷蔵室２と冷凍温度帯室へ送られる冷気の分配量を調節する風向板の機能も持つ。冷凍室ダンパ８０を閉方向に近づけることで、冷蔵室２と冷凍温度帯室の風量分配を、冷蔵室２側に大きくすることができる。第一の実施形態の冷蔵庫において、冷蔵室と冷凍温度帯室の両方に冷気を送る場合は、冷凍室ダンパ８１を閉状態から開方向へ約６０°開くことで、冷蔵室と冷凍室の風量分配を適量に調整している。
【００４５】
送風機９から遠い貯蔵室へ冷気を送る場合や入り組んだ風路を通して冷気を送る場合、風路から受ける圧力損によって風速が低下し、送風量が減少しやすい。蒸発器７の着霜が多くなり送風抵抗が増えると、圧力損が大きい風路を通る吐出口ほど風量は減りやすい。例えば、冷蔵室２の送風吐出口２ｄよりも上部にある冷蔵室送風吐出口２ｃは、より風路から受ける圧力損が大きいため、着霜量が多くなるにつれ風量の減少が大きい。そのため、送風機９の回転数を増やし、蒸発器７での送風抵抗による風量減少分だけ送風機９の回転数を増やすことが望ましい。また、複数の貯蔵室に同時に冷気を送る場合は、風向板によってより風路の圧力損が大きい方へ送風量を増やすことで、着霜量の増加による送風分配量の変化を抑制することが可能である。
【００４６】
各貯蔵室には、温度検知手段を備えている。すなわち、冷蔵室２には、冷蔵室温度検知手段３３を備え、冷凍温度帯室には、冷凍室温度検知手段３４を備え、野菜室６には、野菜室温度検知手段３３ａを備えている。なお、各温度検知手段は、温度検知精度を確保でき、食品収納を阻害しない範囲であれば、特にその位置を限定するものではなく、各貯蔵室の背面、側面、上面、下面のいずれであってもよい。さらに、蒸発器７の温度を検知する蒸発器温度検知手段３５を、熱交換を阻害しない蒸発器７の外面に備えている。
【００４７】
各貯蔵室の温度制御は、断熱箱体１０の後部上方に配置した制御手段３１によって行われる。制御手段３１は、温度検知手段（冷蔵室温度検知手段３３、冷凍室温度検知手段３４、野菜室温度検知手段３３ａ、蒸発器温度検知手段３５）の検知温度が入力されて、この入力に基づいて、冷蔵室ダンパ８０、冷凍室ダンパ８１、送風機９、除霜ヒータ２２の出力を制御する。
【００４８】
以上を踏まえ、第一の実施形態の冷蔵庫の制御について、図３乃至図６及び適宜図２を参照しながら説明する。
【００４９】
図３、図４、図５は、第一の実施形態の冷蔵庫の送風機９に関する制御フローチャートである。また、図６は第一の実施形態の冷蔵庫の送風機９に関する制御タイムチャートである。
【００５０】
まず、除霜運転開始条件が成立しているかを判定する（ステップＳ１０１）。冷蔵庫では蒸発器７に霜が着くため、定期的に除霜運転を行う。本実施形態の冷蔵庫の除霜運転開始条件は、圧縮機２４の運転時間や扉開時間によってそれぞれ決められた値を積算し、一定値を超えたときとしている。除霜運転開始後は、除霜終了条件が成立するまで除霜運転を行う（ステップＳ１０２）。
【００５１】
除霜運転開始条件が成立しない場合は、予め制御手段３１のＲＯＭに格納された制御値から送風機９の基準回転数を読み込む（ステップＳ１０４）。この基準回転数は冷蔵庫内の温度や圧縮機２４の回転数などの状況により異なる。次に、冷蔵庫の扉が開状態かを判定する（ステップＳ１０５）。扉が開状態の場合（ステップＳ１０５でＹＥＳ）は、扉を開状態にした時間を測定し（ステップＳ１０６）、扉が閉状態になった時点で扉開積算時間を更新する。この積算時間は除霜が終了してから扉を開状態にした時間の積算を表し、除霜が終了した時点（ステップＳ１０２でＹＥＳ）で扉開積算時間は０にリセットされる（ステップＳ１０３）。ここで、第一の実施形態の冷蔵庫においては除霜終了時に扉開積算時間を０にリセットしているが、庫内への送風に影響がないならば除霜開始時や除霜前後に行っても良い。
【００５２】
扉が閉状態になった後は、冷蔵庫外の温度および湿度を計測する（ステップＳ１０８、ステップＳ１０９）。冷蔵庫外に温度センサ、湿度センサなど温度および湿度を計測する手段がない場合は、庫内に侵入する水分を一般家庭内の平均温度・湿度などから予測しても良い（ステップＳ１０８、ステップＳ１０９を省略する）。ただし、季節や地域により冷蔵庫庫外の温度、湿度は異なるため、予測の精度が下がる可能性がある。次に、各ダンパが開状態かを調べる（ステップＳ１１０、ステップＳ１１１、ステップＳ１１２）。冷蔵庫外の温度、湿度値、および冷蔵室ダンパ８０、冷凍室ダンパ８１の状態によって送風機９の回転数増加値を算出し、送風機９の回転数を調整する（ステップＳ１１３、ステップＳ１１４、ステップＳ１１５）。
【００５３】
ここで、冷蔵室ダンパ８０および冷凍室ダンパ８１が開状態のときは、各貯蔵室に必要な冷気循環量が多いことから、特に送風機９の回転数増加量Ａを大きくすると良い（ステップＳ１１３）。また、冷蔵室は冷凍室より送風機９から遠い場所にあるため、送風機９の回転数増加量Ｂを回転数増加量Ｃに対し大きい値にすると良い（ステップＳ１１４、ステップＳ１１５）。つまり、送風機９の回転数増加量Ａ＞回転数増加量Ｂ＞回転数増加量Ｃとすると良い（図６参照）。次に、冷凍室ダンパ８１および冷蔵室ダンパ８０が開状態かを調べる（ステップＳ１１６、ステップＳ１１７）。両ダンパが開状態の場合は、冷凍室ダンパ８１の角度を、扉開積算時間および冷蔵庫外の温湿度により調整する（ステップＳ１１３）。第一の実施形態の冷蔵庫では、風量分配の調整を冷凍室ダンパ８１で行えるが、風向板の役割を持つ機構であればこの限りではない。冷凍室ダンパ８１が閉状態（ステップＳ１１１でＮＯ）、もしくは冷蔵室ダンパ８０が閉状態（ステップＳ１１２でＮＯ）の場合は、冷凍室ダンパ８１の角度は調整する必要がないため、ステップＳ１０１に戻る。
【００５４】
上記の実施例では簡略化のため冷蔵室ダンパ８０と冷凍室ダンパ８１のみを考慮した制御を述べたが、野菜室ダンパを搭載した冷蔵庫ならば野菜室ダンパの状態も考慮して送風機９や冷凍室ダンパ８１の角度を調整すると良い。
【００５５】
以上より、本実施形態の冷蔵庫では、次のような効果を奏することができる。
【００５６】
すなわち、外部と断熱した複数の貯蔵室を有する断熱箱体と、前記貯蔵室を開閉する扉と、蒸発器を有する冷凍サイクルと、前記蒸発器で熱交換した空気を前記貯蔵室に循環させる送風機と、を備えた冷蔵庫において、前記蒸発器の除霜運転が開始又は終了してから、前記扉を開けた積算時間又は回数に応じて前記送風機の回転数を増やし、該回転数の増加量を前記複数の貯蔵室のそれぞれに応じて変える。これにより、着霜量が増えても送風機による貯蔵室の冷却効率悪化及び貯蔵室の温度上昇による食品品質の低下を抑えた冷蔵庫を提供することができる。
【００５７】
また、前記断熱箱体の外部温度を測定する手段を備え、前記外部温度が高いほど前記送風機の前記回転数の増加量を増やす。これにより、冷蔵庫の設置環境に応じて、適切な冷却制御が実施でき、貯蔵室の冷却効率を向上できる。
【００５８】
また、前記断熱箱体の外部湿度を測定する手段を備え、前記外部湿度が高いほど前記送風機の前記回転数の増加量を増やす。これにより、湿度に依存する着霜の状況をより高い確度で予測することができ、着霜量が増えても送風機による貯蔵室の冷却効率を向上することができる。
【００５９】
また、前記複数の貯蔵室のそれぞれへの送風量の分配を調整する手段を備え、前記貯蔵室の扉を開けた積算時間又は回数に応じて、前記送風量の分配を前記送風機から距離が遠い貯蔵室側に増やす、又は前記送風機の回転数を増やさずに前記送風量の分配を調整する。これにより、冷蔵庫の貯蔵室レイアウトに応じて、着霜量が増えても送風機による貯蔵室の冷却効率を向上することができる。
【００６０】
また、前記送風機より上部にある前記貯蔵室への送風が行われている場合、それ以外の前記貯蔵室への送風が行われている場合と比べて前記送風機の回転数の増加量を増やす。これにより、冷蔵庫の貯蔵室レイアウトによって冷却性能が変化することを抑制して、貯蔵室の冷却効率を向上することができる。
【符号の説明】
【００６１】
１  冷蔵庫本体
２  冷蔵室（冷蔵温度帯室）
２ｃ  冷蔵室送風吐出口（冷蔵室上段）
２ｄ  冷蔵室送風吐出口（冷蔵室中段）
２ｅ  冷蔵室送風吐出口（冷蔵室下段）
３  製氷室（冷凍温度帯室）
４  上段冷凍室（冷凍温度帯室）
５  下段冷凍室（冷凍温度帯室）
６  野菜室（冷蔵温度帯室）
７  蒸発器（冷却手段）
９  送風機（送風手段）
１０  断熱箱体
１１  冷蔵室送風ダクト
１２  冷凍室送風ダクト
１３  仕切部材
１７  冷凍室戻り口
２４  圧縮機
８０  冷蔵室ダンパ
８１  冷凍室ダンパ
【図１】
2013245844.tif 000003
【図２】
2013245844.tif 000004
【図３】
2013245844.tif 000005
【図４】
2013245844.tif 000006
【図５】
2013245844.tif 000007
【図６】
2013245844.tif 000008